(57)【要約】【課題】従来の走行ミッション装置は、各変速装置ごとに変速レバ−が設けられ、変速操作にあたって煩雑な操作が要求され、操作性が悪く誤操作の原因になる課題があった。【解決手段】本発明は、原動側から入力された回転動力を、第１副変速装置２から主変速装置３を経由して、更に、第２副変速装置４を通って走行側に出力する走行ミッション装置１を構成した。前記第１副変速装置２の高、低速度の切替操作と、前記主変速装置３の複数段の変速操作とを１本の主変速レバ−５で切替操作する構成とした。該主変速レバ−５は、前後方向の変速操作で一方の切替操作を可能とし、左右方向の変速操作で他方の切替操作ができる構成としたトラクタのモノレバ−式変速装置である。【選択図】　　　　図１
2004106726.tif 000002
【特許請求の範囲】
【請求項１】
走行ミッション装置１は、原動側から入力された回転動力を、第１副変速装置２から主変速装置３を経由して、更に、第２副変速装置４を通って走行側に出力する構成とし、前記第１副変速装置２の高、低速度の切替操作と、前記主変速装置３の複数段の変速操作とを１本の主変速レバ−５で切替操作する構成とし、該主変速レバ−５は、前後方向の変速操作で一方の切替操作を可能とし、左右方向の変速操作で他方の切替操作ができる構成としたトラクタのモノレバ−式変速装置。
【請求項２】
走行ミッション装置１内には、第１副変速装置２と、主変速装置３と、第２副変速装置４と、作業速度と走行速度とを切替え操作する走行速度切替装置６とを設け、前記第１副変速装置２は、走行速度切替装置６を走行速度に切り替えると、高速位置に保持され、作業速度に切り替えると高、低速度の切替操作が可能となる構成とした請求項１記載のトラクタのモノレバ−式変速装置。
【請求項３】
主変速レバ−５は、前後方向の変速操作で主変速装置３の第１速から第４速に至る切替操作を可能とし、左右方向の変速操作で第１副変速装置２の高、低速の切替操作ができる構成とした請求項１記載のトラクタのモノレバ−式変速装置。
【発明の詳細な説明】
【０００１】
【発明の属する技術分野】
本発明は、トラクタのモノレバ−式変速装置に関するもので、農業機械の技術分野に属する。
【０００２】
【従来の技術】
従来からトラクタの走行ミッション装置は、エンジンに近い側にリバ−サクラッチが設けられ、それの伝動下手側に第１副変速装置、主変速装置、第２副変速装置、走行速度と作業速度とを選択して切り替える走行速度切替装置の順序に配置され、エンジン側から入力された回転動力を、一連の変速装置の変速作用の組み合わせによって複数段に変速しながら走行側に出力する構成となっている。そして、従来のこの種走行ミッション装置は、各変速装置ごとに変速レバ−が設けられ、操縦座席の周囲に集中的に配置した構成となっていた（例えば、特許文献１参照。）。
【０００３】
【特許文献１】
特開２０００−１７０８８９号公報
【０００４】
【発明が解決しようとする課題】
上述した従来の走行ミッション装置は、各変速装置ごとに変速レバ−が設けられ、これらを操縦座席の周囲に集中的に配置して構成していた。したがって、オペレ−タは、変速操作にあたって煩雑な操作が要求され、操作性が悪く紛らわしくて誤操作の原因になる課題があった。
【０００５】
【課題を解決するための手段】
本発明は、上述した課題を解決するために、次の如き技術手段を講ずるものである。まず、請求項１の発明は、走行ミッション装置１は、原動側から入力された回転動力を、第１副変速装置２から主変速装置３を経由して、更に、第２副変速装置４を通って走行側に出力する構成とし、前記第１副変速装置２の高、低速度の切替操作と、前記主変速装置３の複数段の変速操作とを１本の主変速レバ−５で切替操作する構成とし、該主変速レバ−５は、前後方向の変速操作で一方の切替操作を可能とし、左右方向の変速操作で他方の切替操作ができる構成としたトラクタのモノレバ−式変速装置であって、１本の主変速レバ−の前後方向の操作と、左右方向の操作とを利用して主変速装置と第１副変速装置との両方の変速装置を切替操作できる装置としたものである。
【０００６】
つぎに、請求項２の発明は、走行ミッション装置１内には、第１副変速装置２と、主変速装置３と、第２副変速装置４と、作業速度と走行速度とを切替え操作する走行速度切替装置６とを設け、前記第１副変速装置２は、走行速度切替装置６を走行速度に切り替えると、高速位置に保持され、作業速度に切り替えると高、低速度の切替操作が可能となる構成とした請求項１記載のトラクタのモノレバ−式変速装置であって、極力誤操作が起きない配慮をした構成としている。
【０００７】
つぎに、請求項３の発明は、主変速レバ−５は、前後方向の変速操作で主変速装置３の第１速から第４速に至る切替操作を可能とし、左右方向の変速操作で第１副変速装置２の高、低速の切替操作ができる構成とした請求項１記載のトラクタのモノレバ−式変速装置であって、主変速装置と第１副変速装置との変速段数を組み合わせた合計８速の変速段数の切替操作を、１本の変速レバ−で行なうことができる構成となっている。
【０００８】
【発明の効果】
まず、請求項１の発明は、従来、それぞれ別々に変速レバ−を有していた主変速装置と第１副変速装置との２つの変速装置を、１本の変速レバ−によって、前後方向の操作で一方の変速装置を変速操作し、左右方向の変速操作で他方の変速装置の変速操作できる構成にしたものであって、変速レバ−の数を整理して操作性の大幅な向上を図り、誤操作を少なくした特徴を有する。
【０００９】
更に、本案に係る発明は、１本の変速レバ−による操作によって、複数段の変速段階において、飛び越し変速を可能にした特徴を併せて有するものである。
そして、請求項２の発明は、操作の安全性を高めて操作性を向上し、誤操作の発生を少なくする効果を有するものである。
【００１０】
そして、請求項３の発明は、上述した請求項１に係る発明と同一の効果を有するものでありながら、主変速装置の４つの変速段数と第１副変速装置の高、低の切替速度との組み合わせによって、合成できる第１速〜第８速の変速段数の切替操作を１本の変速レバ−で行なうことができる特徴を有する。そして、本案に係る発明は、第１速と第５速との間、第２速と第６速との間、第３速と第７速との間、第４速と第８速との間において、相互間の飛び越し変速操作が可能となり、操作性が一段と向上した優れた特徴を有する。
【００１１】
【発明の実施の形態】
以下、本発明の実施の形態を図面に基づいて具体的に説明する。
まず、走行ミッション装置１は、図３に示すように、原動側に最も近い部位にリバ−サクラッチ１０が設けられ、続いて、第１副変速装置２が設けられ、その伝動下手側に主変速装置３を配置して構成している。そして、走行ミッション装置１は、図３から解るように、上記主変速装置３の伝動下手側に接続して第２副変速装置４と走行速度切替装置６との順序に配列して設け、出力軸１１の軸端部から走行側に出力する構成としている。
【００１２】
そして、上記第１副変速装置２は、図３に示すように、前記リバ−サクラッチ１０に接続した原動軸１２に大ギヤ１３と小ギヤ１４とが軸着されており、この原動軸１２に対応して平行に軸架した変速軸１５には、上記大ギヤ１３に噛合している変速小ギヤ１６と、上記小ギヤ１４に噛合している変速大ギヤ１７とを遊嵌させて軸装した構成としている。そして、第１副変速装置２は、図面から解るように、摺動係合具１８を上記変速小ギヤ１６と変速大ギヤ１７との間において、前記変速軸１５に軸方向に摺動自由で回転方向には係合させ、シフタ−操作によって図の左右（進行方向前後）に摺動して変速小ギヤ１６、又は変速大ギヤ１７に係合して高速、低速の切替操作ができる構成としている。なお、操作系の構成は、主変速装置３の操作系と関連させて後述する。
【００１３】
つぎに、主変速装置３は、図３に示すように、上記第１副変速装置２から伝動下手側に延長されてきた前記変速軸１５上において、上手側に大径の３速ギヤ１９と４速ギヤ２０とを並べて軸着し、空間部分を隔てて下手側に１速ギヤ２１と２速ギヤ２２の順に並べて軸着した構成としている。そして、主変速装置３は、上記変速軸１５に対応して平行に軸架した主変速軸２３に、上記各速度ギヤにそれぞれ対応させて常時噛合させた変速ギヤ、すなわち、第３変速ギヤ２４、第４変速ギヤ２５、第１変速ギヤ２６、第２変速ギヤ２７の順に遊嵌させて軸装した構成としている。そして、主変速装置３を構成する各変速ギヤ２４〜２７は、図面に示すように、第４変速ギヤ２５を最も小径に形成して順次大径にして第１変速ギヤ２６を最も大径にしており、従来から公知のように、最低速度の第１変速ギヤ２６から順次変速され、最高速度の第４変速ギヤ２５まで４段階の切替変速ができる構成としている。そして、摺動係合具２８は、図３に示すように、主変速軸２３に対して左右軸方向（進行方向前後）に摺動して回転方向には係合状態に軸装しており、外部からのシフタ−操作によって上記した第１変速ギヤ２６、第２変速ギヤ２７、第３変速ギヤ２４、第４変速ギヤ２５を選択して切替操作ができる構成としている。なお、操作系の構成は、第１副変速装置２の操作系と関連させて後述する。
【００１４】
つぎに、第２副変速装置４は、図３に示すように、上記主変速装置３の主変速軸２３の軸端部に接続した副変速軸２９に、左右軸方向（進行方向前後）に摺動し回転方向には係合した副変速ギヤ３０を軸装して構成している。そして、第２副変速装置４は、上記副変速軸２９に対応させて平行に軸架している出力軸１１に、上手側の大ギヤ３１と下手側の小ギヤ３２とを一体の構成として常時駆動状態に遊嵌させて軸装している。そして、上記大ギヤ３１は、前記主変速軸２３の端部に軸装している伝動ギヤ３３に常時噛合し、小ギヤ３２を伝動する構成としている。そして、第２副変速装置４は、図面から解るように、副変速ギヤ３０が図３において、左に移動すると主変速軸２３の係合部２３ａに係合して軸直結の高速側に変速され、右に摺動すると小ギヤ３２に噛合して迂回した低速側に変速されて副変速軸２９に伝達するように設け、中間位置がニュ−トラル位置になる構成としている。
【００１５】
つぎに、走行速度切替装置６は、図３に示すように、副変速軸２９を伝動下手側に延長し、一体に形成した小径の作業速ギヤ３４と大径の走行速ギヤ３５とを回転方向に係止した状態で軸方向に摺動自由に構成している。そして、走行速度切替装置６は、図面から解るように、出力軸１１に上記作業速ギヤ３４と噛合する大径出力ギヤ３６と、走行速ギヤ３５と噛合する小径出力ギヤ３７とを軸着して構成している。
【００１６】
そして、上記走行速度切替装置６と前記第２副変速装置４は、図５、乃至図８に示す実施例の場合、１本の副変速レバ−３８による切替操作を可能とし、副変速による高速と走行速とが確実に一体変速できる構成としている。すなはち、副変速レバ−３８は、図５、及び図６に示すように、支持軸３９の中間位置に左右方向傾倒自由に軸装し、一方側に副変速操作プレ−ト４０と、他方側に走行速ギヤ３５（作業速ギヤ３４と一体）を摺動操作する走行操作プレ−ト４１とを配置して構成している。したがって、副変速レバ−３８は、図５の実線の位置において、図８に示す直線の操作溝４２に沿って前後に操作すれば、一方側の副変速操作プレ−ト４０を係止して移動しながら高速位置（Ｈ）、ニュ−トラル位置（Ｎ）、低速位置（Ｌ）との間を切替操作できる構成となっている。上記操作は、通常、作業中（作業速ギヤ３４と大径出力ギヤ３６の噛合中）に行なう。
【００１７】
そして、副変速レバ−３８は、図５に仮想線で示すように、右側に傾倒させて走行操作プレ−ト４１を同時に係合して図８の走行操作溝４３に沿わせて移動操作すると、一方側の副変速操作プレ−ト４０と、他方側の走行操作プレ−ト４１との両方を同時に操作できる構成となっている。この場合、走行速度切替装置６と第２副変速装置４は、図３、図６、及び図７に示すように、走行速ギヤ３５が右側へ摺動させて小径出力ギヤ３７に噛合し、副変速ギヤ３０が左に摺動して高速側に切替わる構成となっている。
【００１８】
このようにして、出力軸１１は、副変速ギヤ３０が係合部２３ａに噛合して副変速軸２９を高速に切り替え、更に、走行速ギヤ３５が小径出力ギヤ３７に噛合して高速の走行回転動力が伝動されて走行側に出力する構成となっている。
実施例の場合、一方の副変速操作プレ−ト４０は、図６、及び図７に示すように、ロッド４４から作動杆４５を介してシフタ−４６に連結して副変速ギヤ３０に接続しており、他方の走行操作プレ−ト４１は、連杆４７、作動杆４８を介してシフタ−４９に接続して走行速ギヤ３５（作業速ギヤ３４）を摺動操作する構成としている。
【００１９】
そして、路上走行検出スイッチ５０は、図６に示す実施例の場合、走行操作プレ−ト４１の作動行程に配置して設け、上記走行操作プレ−ト４１が路上走行位置にあることを検出部５０ａが検出する構成としている。なお、この検出スイッチ５０は、例えば、図８に示す走行操作溝４３の終端部に設けて副変速レバ−３８を検出するように構成してもよい。このように、路上走行検出スイッチ５０は、走行操作プレ−ト４１の走行速位置を直接検出できる構成を採用すると、常に適確に検出できるから、オペレ−タの操作忘れや誤操作をなくすことができる利点がある。
【００２０】
つぎに、主変速装置３と第１副変速装置２の操作装置について説明する。
まず、主変速レバ−５は、図１、及び図２に示すように、前後方向と左右方向とに傾斜回動ができるようにジョイント部材５１によって機枠に支持されている連動プレ−ト５２に基部が固定され、上方に延長して上部にグリップ部５３を設けて構成している。そして、連動プレ−ト５２は、図２、及び図４に示すように、前後方向に段数の操作ができる部位に主変速側ロッド５４の基部を連結し、左右方向に高低操作が可能な部位に第１副変速側ロッド５５の基部をそれぞれ接続して設けた構成としている。そして、第１副変速装置２は、図面から解るように、第１副変速側ロッド５５の先端に接続した操作連動ア−ム５６、連杆５７からシフタ−を介して摺動係合部１８（図３参照）を左右（高低）に操作可能に構成している。
【００２１】
一方の主変速装置３は、上記主変速側ロッド５４の先端部を操作連動ア−ム５８に接続してシフタ−を操作して摺動係合部２８（図３参照）を切り替えできる構成としている。
そして、上記実施例の場合、主変速レバ−５を前後方向と左右方向とに移動操作したとき、第１副変速側ロッド５５の基部（上部）が前後方向の回動支点側方上に位置し、主変速側ロッド５４の基部（上部）が左右方向の回動支点前方にある構成をとっており、前後方向の操作時には第１副変速側ロッド５５は静止状態を保ち、左右方向の操作時には主変速側ロッド５４が静止状態を保つ構成になっている。
【００２２】
以上述べたように、主変速レバ−５は、図４に示す実施例の場合、後部の第１速位置から順次前方側に第２速、ニュ−トラル、第３速、第４速と、前後方向の移動操作によって４速の変速を可能とする構成となっている。そして、主変速レバ−５は、図４から解るように、左右方向の切替操作によって第１副変速装置２を高、低に切替えができる構成になっており、第１速と第５速、第２速と第６速、ニュ−トラルゾ−ンを挟んで、更に前方に回動操作すると、第３速と第７速、第４速と第８速のそれぞれの間で飛び越し変速ができる特殊な構成としている。
【００２３】
このように、主変速レバ−５は、１本のレバ−で第１副変速装置２と主変速装置３との変速段数を合成した８段の変速操作が可能でありながら、更に、上述のように、前後方向と左右方向との操作を組み合わせると、飛び越し変速操作ができる特徴がある。
【００２４】
つぎに、走行速度切替装置６と第１副変速装置２との連動と規制に関する別の構成例を、図９に示す略図で説明する。
既に、走行速度切替装置６は、図３に示すように、走行速ギヤ３５を小径出力ギヤ３７に噛合して高速の走行速度に切り替えると、第２副変速装置４も連動して高速に切り替わる操作上の連動構成（図６参照）については説明したが、図９に示す略図は、第１副変速装置２との間にも連動操作を可能にする装置を示したものである。
【００２５】
すなわち、連動プレ−ト６０は、図９に示すように、一方を走行速度切替装置６の作動杆４８（図６参照）に連結して設け、他方に設けた長孔６１に、第１副変速装置２の操作連動ア−ム５６（図２参照）を係合して構成している。したがって、連動プレ−ト６０は、図６、及び図９に示すように、副変速レバ−３８を傾倒させて走行操作プレ−ト４１を係止して、連杆４７、作動杆４８を介して走行速度切替装置６の走行速ギヤ３５を摺動操作して小径出力ギヤ３７に噛合すると、同時に連動して長孔６１内の操作連動ア−ム５６を連動して第１副変速装置２を高速側に強制的に切替操作を行なう構成になっている。
【００２６】
このように、第１副変速装置２は、走行速度切替装置６を路上走行側に切り替えると連動して高速側に切り替わり、第２副変速装置の高速と合成されて最高速度で路上走行が可能であるが、走行速度切替装置６を作業速ギヤ３４側に切り替えたときには、長孔６１の範囲内において高、低速に切替えできる構成になっている。
【００２７】
これに対して、従来の通常の構成は、走行速度切替装置６と第１副変速装置２との連動機構を設けていないものであったから、両方の装置を別々に切替操作する必要があり、路上走行時には第１副変速装置２も必ず高速側に操作することにしていた。
【００２８】
このように、走行速度切替装置６は、従来から第１副変速装置２が高速のときにのみ路上走行を可能としているが、誤操作を防止して安全を確保するために、もし、第１副変速装置が低速位置にあって、副変速レバ−３８を路上走行側に操作すると、リバ−サクラッチ１０の出力を停止できる牽制機構を設けると効果的である。
【００２９】
そして、上記牽制機構は、これが作動すると、操縦席のパネル上に液晶によって「リバ−サクラッチ出力停止」を画面表示し、オペレ−タに警告する構成とすれば、安全性が更に増し実用的効果が高くなる。
つぎに、他の別実施例を説明する。
【００３０】
ここに述べる他の別実施例は、図５、乃至図８によって、既に説明した走行速度切替装置６と第２副変速装置４とを副変速レバ−３８によって走行操作溝４３（図８参照）に操作したとき、路上走行検出スイッチ５０によって副変速レバ−３８を検出し、これに基づいて主変速装置３を変速制御する構成に関するものである。
【００３１】
まず、コントロ−ラ６５は、図１０に示すように、制御プログラムや基準デ−タ等を内蔵したメモリを有するマイクロコンピュ−タの演算制御部であって、算術、論理および比較演算等を行なう構成となっている。そして、コントロ−ラ６５は、入力側に、車速センサ６６、路上走行検出スイッチ５０、主変速センサ６７、副変速センサ６８をそれぞれ接続して各情報を入力する構成としている。そして、コントロ−ラ６５は、出力側に、マルチアイ６９（表示装置）、主変速ソレノイド７０をそれぞれ接続して、出力される制御信号に基づいて、操縦座席のパネル上の画面表示と主変速装置３の変速制御とを自動的に行なう構成としている。
【００３２】
そして、コントロ−ラ６５は、図８に示す走行操作溝４３に副変速レバ−３８が操作されると、路上走行検出スイッチ５０が検出し、検出情報に基づいて出力側に制御信号を出力して主変速ソレノイド７０によって主変速装置３を最高速度乃至はその近傍の変速位置に自動的に変速制御する構成としている。更に、コントロ−ラ６５は、上記主変速装置３の変速位置をマルチアイ６９に表示してオペレ−タに変速位置まで知らせることができる構成としている。
【００３３】
このように、他の別実施例に係る機構は、路上走行をする場合、副変速レバ−３８を走行操作溝４３に沿わせて操作すると、既に述べたように、第２副変速装置４が高速側に変速されると同時に、走行速ギヤ３５が小径出力ギヤ３７に噛合し、更に、路上走行検出スイッチ５０が検出して、制御に基づく自動変速操作によって主変速装置３が高速位置に変速されるものである。
【００３４】
したがって、上記実施例の場合、オペレ−タは、路上走行時には単に副変速レバ−３８を走行操作溝４３に沿わせて路上走行位置に操作するだけで、主変速装置３の自動変速が行われ、高速走行ができるものとなった。そして、マルチアイ６９は、上記自動変速の位置が画面上に表示されて操縦席のオペレ−タに告知され、安全にトラクタの運転操作ができる実用性の高い特徴がある。
【００３５】
つぎに、図１１、及び図１２に示す他の実施例を説明する。
以下に説明する他の実施例は、パワ−シフトとメカシフトとの操作上の違いを配慮して、一方のパワ−シフトにはそれに適する変速段数を構成し、他方のメカシフトには、オペレ−タの手動操作で変速レバ−を操作するときの操作性と、機構上に配慮して構成したものである。
【００３６】
まず、パワ−シフト用の変速装置は、図１１に示すように、第１副変速装置７５と主変速装置７６とから構成され、両者の変速段数を合成して８段の変速ができる構成としている。すなわち、主変速装置７６は、図面から解るように、１速ギヤ７７、２速ギヤ７８、３速ギヤ７９、４速ギヤ８０をそれぞれ変速軸８１上に配列して出力軸８２上に軸装した対応する変速ギヤ８３、８４、８５、８６に噛合して構成している。なお、１０はリバ−サクラッチである。
【００３７】
つぎに、第１副変速装置７５は、高速と低速との２段の変速を可能とする構成としているが、上記主変速装置７６との変速段数の組み合わせにおいて、従来に例をみない特殊な組み合わせに構成している。
すなわち、第１副変速装置７５の変速と前記主変速装置７６の各変速段数との組み合わせを、副変速を低速と高速と交互に切り替え、主変速を１速から順次変速して４速で８段に組み合わせると、低速と１速、高速と１速、低速と２速、高速と２速のように車速を段階的に変速できる変速比に構成した。このように、８段の変速段数は、主変速４段の各変速を低速、高速と繰り返し変速して組み合わせる（Ｌ１，Ｈ１，Ｌ２，Ｈ２，Ｌ３，Ｈ３，Ｌ４，Ｈ４）ことにより段階的速度になるような変速比率を設定している。
【００３８】
このように、パワ−シフトでは第１副変速装置７５と主変速装置７６とを自動変速するものであるから、上記のごとき両方の変速装置の変速比率を組み合わせることにより段階的に変速することが可能となる。
つぎに、図１２に示す他の実施例の場合、第１副変速装置９０と主変速装置９１とを有する構成にし、第１副変速装置９０を高速と低速とに切り替え変速を可能とし、主変速装置９１を１速〜４速の変速ができる構成としている。そして、第１副変速装置９０と主変速装置９１とは、オペレ−タの手動操作で比較的容易に変速操作ができるように、変速レバ−の操作性を配慮して操作をやり易くするために、低速側の４段の変速に高速側の４段の変速を加えた順番（Ｌ１，Ｌ２，Ｌ３，Ｌ４，Ｈ１，Ｈ２，Ｈ３，Ｈ４）で順次高速の車速が得られる構成としている。
【００３９】
図１２に示す構成例の場合は、オペレ−タの手動による操作性の問題と、併せて、湿式クラッチを使用するため高速と低速との減速比を大きくすると、構成上に課題（クラッチ枚数が多数になる）があり、低速４段と高速４段とを連続にして変速８段としたものである。
【００４０】
以上述べたように、本案実施例に係る発明は、従来、それぞれ別々に変速レバ−を有していた主変速装置３と第１副変速装置２との２つの変速装置を、１本の主変速レバ−５によって変速操作を可能としている。この場合、主変速レバ−５は、前後方向の操作で一方の変速装置３を変速操作し、左右方向の変速操作で他方の変速装置２の変速操作できる構成にしたものであって、変速レバ−の数を整理して操作性の大幅な向上を図り、誤操作を少なくした点に優れた特徴がある。
【００４１】
そして、更に、本案に係る発明は、１本の変速レバ−による操作によって、複数段の変速段階において、飛び越し変速を可能にした特徴を併せて有するものである。
そして、本案の場合、第１副変速装置２は、走行速度切替装置６を路上走行側に操作すると、高速位置に保持され、作業速度に切り替えると高、低速度の切替操作が可能となっており、操作上の安全性を高めて操作性を向上し、誤操作の発生を少なくすることができる。
【００４２】
そして、実施例の具体的な変速操作上の特徴は、主変速装置３の４つの変速段数と第１副変速装置２の高、低の切替速度との組み合わせによって、合成できる第１速〜第８速の変速段数の切替操作を１本の変速レバ−で行なうことができるのは上述したとおりであるが、実施例の発明は、図４から解るように、第１速と第５速との間、第２速と第６速との間、第３速と第７速との間、第４速と第８速との間において、相互間の飛び越し変速操作が可能となり、操作性が更に向上したものとなっている。
【図面の簡単な説明】
【図１】本発明の実施例であって、主変速レバ−の正面図である。
【図２】本発明の実施例であって、操作機構の側面図である。
【図３】本発明の実施例であって、展開して示す走行ミッション装置である。
【図４】本発明の実施例であって、作用側面図である。
【図５】本発明の実施例であって、作用正面図である。
【図６】本発明の実施例であって、作用側面図である。
【図７】本発明の実施例であって、作用正面図である。
【図８】本発明の実施例であって、操作レバ−案内溝の平面図である。
【図９】本発明の実施例であって、連動プレ−トの側面図である。
【図１０】本発明の別実施例であって、制御機構のブロック回路図である。
【図１１】本発明の他の実施例であって、展開して示す走行ミッション装置である。
【図１２】本発明の他の実施例であって、展開して示す走行ミッション装置である。
【符号の説明】
１　　走行ミッション装置　　　　２　　第１副変速装置
３　　主変速装置　　　　　　　　４　　第２副変速装置
５　　主変速レバ−　　　　　　　６　　走行速度切替装置。
【図１】
2004106726.tif 000003
【図２】
2004106726.tif 000004
【図３】
2004106726.tif 000005
【図４】
2004106726.tif 000006
【図５】
2004106726.tif 000007
【図６】
2004106726.tif 000008
【図７】
2004106726.tif 000009
【図８】
2004106726.tif 000010
【図９】
2004106726.tif 000011
【図１０】
2004106726.tif 000012
【図１１】
2004106726.tif 000013
【図１２】
2004106726.tif 000014